(57)【特許請求の範囲】
【請求項１】
媒体に記録を行う記録手段を内部に備えた装置本体と、
前記装置本体から引き出された引き出し状態と前記装置本体に収納される収納状態とを切り換え可能であり、前記引き出し状態において前記記録手段に向けて給送される媒体を支持可能な支持トレイと、
媒体を反転させる反転ローラーを備えるとともに前記装置本体に対して着脱可能に構成されたユニット体と、を備え、
前記支持トレイは前記収納状態において、前記ユニット体の着脱経路に差し掛かる部位を有し、前記ユニット体の取り外しを阻害する、
ことを特徴とする記録装置。
【請求項２】
媒体に記録を行う記録手段を内部に備えた装置本体と、
前記装置本体から引き出された引き出し状態と前記装置本体に収納される収納状態とを切り換え可能であり、前記引き出し状態において前記記録手段に向けて給送される媒体を支持可能な支持トレイと、
媒体を反転させる反転ローラーを備えるとともに前記装置本体に対して着脱可能に構成されたユニット体と、を備え、
前記支持トレイは、前記収納状態において、前記ユニット体の着脱経路に差し掛かる部位を有し、
前記支持トレイにおいて前記ユニット体の着脱経路に差し掛かる部位は、前記収納状態において、装着状態にある前記ユニット体の背面側に位置するとともに、装着状態にある前記ユニット体の背面を覆い、前記装置本体とともに装置外観を構成する、
ことを特徴とする記録装置。
【請求項３】
媒体に記録を行う記録手段を内部に備えた装置本体と、
前記装置本体から引き出された引き出し状態と前記装置本体に収納される収納状態とを切り換え可能であり、前記引き出し状態において前記記録手段に向けて給送される媒体を支持可能な支持トレイと、
媒体を反転させる反転ローラーを備えるとともに前記装置本体に対して着脱可能に構成されたユニット体と、を備え、
前記支持トレイは、前記収納状態において、前記ユニット体の着脱経路に差し掛かる部位を有し、
前記ユニット体は、前記装置本体に対する装着のロックを解除する操作部を備え、
前記支持トレイにおいて前記ユニット体の着脱経路に差し掛かる部位は、前記収納状態において、装着状態の前記ユニット体における前記操作部を覆う、
ことを特徴とする記録装置。
【請求項４】
媒体に記録を行う記録手段を内部に備えた装置本体と、
前記装置本体から引き出された引き出し状態と前記装置本体に収納される収納状態とを切り換え可能であり、前記引き出し状態において前記記録手段に向けて給送される媒体を支持可能な支持トレイと、
媒体を反転させる反転ローラーを備えるとともに前記装置本体に対して着脱可能に構成されたユニット体と、を備え、
前記支持トレイは、前記収納状態において、前記ユニット体の着脱経路に差し掛かる部位を有し、
前記ユニット体が前記装置本体から取り外された状態において前記支持トレイの前記引き出し状態を保持する保持手段を備える、
ことを特徴とする記録装置。
【請求項５】
請求項１、請求項３、請求項４のいずれか一項に記載の記録装置において、前記支持トレイにおいて前記ユニット体の着脱経路に差し掛かる部位は、前記収納状態において、装着状態にある前記ユニット体の背面側に位置する、
ことを特徴とする記録装置。
【請求項６】
請求項１、請求項３、請求項４のいずれか一項に記載の記録装置において、前記支持トレイにおいて前記ユニット体の着脱経路に差し掛かる部位は、前記収納状態において、装着状態にある前記ユニット体の背面を覆い、前記装置本体とともに装置外観を構成する、
ことを特徴とする記録装置。
【請求項７】
請求項１、請求項２、請求項４のいずれか一項に記載の記録装置において、前記ユニット体は、前記装置本体に対する装着のロックを解除する操作部を備え、
前記支持トレイにおいて前記ユニット体の着脱経路に差し掛かる部位は、前記収納状態において、装着状態の前記ユニット体における前記操作部を覆う、
ことを特徴とする記録装置。
【請求項８】
請求項１から請求項３のいずれか一項に記載の記録装置において、前記ユニット体が前記装置本体から取り外された状態において前記支持トレイの前記引き出し状態を保持する保持手段を備える、
ことを特徴とする記録装置。
【請求項９】
請求項４または請求項８に記載の記録装置において、前記保持手段は、前記ユニット体と係合可能であるとともに、前記支持トレイの前記引き出し状態から前記収納状態への遷移経路に対して進出する方向に付勢されたストッパーを備え、
前記ストッパーは、前記ユニット体が前記装置本体に装着された状態において前記ユニット体と係合して前記遷移経路から退避しており、前記ユニット体が前記装置本体から取り外されると、前記遷移経路に進出する、
ことを特徴とする記録装置。
【請求項１０】
請求項４、請求項８、請求項９のいずれか一項に記載の記録装置において、前記支持トレイは、前記引き出し状態において、媒体を支持する際の姿勢である傾斜姿勢と、前記収納状態への遷移を行う姿勢である立位姿勢とを切り換え可能であるとともに、前記傾斜姿勢では、前記保持手段の状態に拘わらず前記引き出し状態を維持可能である、
ことを特徴とする記録装置。
【発明の詳細な説明】
【技術分野】
【０００１】
本発明は、媒体に記録を行う記録装置に関し、特に媒体を収容する媒体収容部から送り出された媒体を湾曲反転させる反転ローラーを備えた記録装置に関する。
【背景技術】
【０００２】
ファクシミリやプリンター等に代表される記録装置においては、特許文献１に示される様に記録の行われた用紙をバックフィードし、大径の反転ローラー（特許文献１では中間ローラー２４）で反転させて、再度記録ヘッド手前の搬送手段（特許文献１では搬送駆動ローラー２６及び搬送従動ローラー２７から成るローラー対）に向けて搬送する構成を採用するものがある。
【０００３】
特許文献１記載の記録装置では、反転ローラー等の反転経路の構成部材がユニット化され、装置本体に対し着脱可能に構成されている（特許文献１において両面ユニット１２）。この両面ユニットを装置本体から取り外すことで、装置内部の用紙搬送経路が露呈し、紙ジャムが生じた場合には詰まった用紙を取り除くことが可能となる。
【０００４】
また、特許文献１の両面ユニットは、ペーパーサポートを備えており、このペーパーサポートは両面ユニットに対して収納された状態と、引き出された状態とを取り得る様になっている。ペーパーサポートは、引き出された状態で傾斜姿勢をとれる様に構成されており、その傾斜姿勢において手差し供給される用紙を支持する。
【先行技術文献】
【特許文献】
【０００５】
【特許文献１】特開２０１４−２０８４２８号公報
【発明の概要】
【発明が解決しようとする課題】
【０００６】
両面ユニットは紙ジャム処理の為に取り外し必要である反面、両面ユニットには用紙搬送経路を形成する経路形成部材が露呈しており、この経路形成部材は強度的に低いことが多い為、落下等による破損を抑制する為には両面ユニットの安易な取り外しは好ましくない。特に、記録装置を使用するユーザー以外、即ち装置の取り扱いに慣れていない者による両面ユニットの安易な取り外しは極力回避するのが好ましい。  
しかしながらその様な問題を回避する専用の手段を設けると、大きなコストアップを招くこととなる。
【０００７】
そこで本発明はこの様な問題に鑑み成されたものであり、その目的は、媒体を反転させる反転ローラーを備えるとともに記録装置本体に対して着脱可能に構成されたユニット体を有する構成において、コストアップを抑えつつ、安易なユニット体の取り外しを抑制することにある。
【課題を解決するための手段】
【０００８】
上記課題を解決する為の、本発明の第１の態様に係る記録装置は、媒体に記録を行う記録手段を内部に備えた装置本体と、前記装置本体から引き出された引き出し状態と前記装置本体に収納される収納状態とを切り換え可能であり、前記引き出し状態において前記記録手段に向けて給送される媒体を支持可能な支持トレイと、媒体を反転させる反転ローラーを備えるとともに前記装置本体に対して着脱可能に構成されたユニット体と、を備え、前記支持トレイは、前記収納状態において、前記ユニット体の着脱経路に差し掛かる部位を有することを特徴とする。
【０００９】
本態様によれば、前記支持トレイは、前記収納状態において、前記ユニット体の着脱経路に差し掛かる部位を有するので、前記支持トレイが前記収納状態にある際、即ち装置の非使用状態において前記支持トレイが前記ユニット体の取り外しを阻害することとなる。これにより、安易なユニット体の取り外しを抑制することができる。  
また、前記支持トレイが前記ユニット体の安易な取り外しを抑制する構成であるので、前記ユニット体の不用意な取り外しを抑制する専用の手段を設ける構成に比してコストアップを抑制することができる。
【００１０】
本発明の第２の態様は、第１の態様において、前記支持トレイにおいて前記ユニット体の着脱経路に差し掛かる部位は、前記収納状態において、装着状態にある前記ユニット体の背面側に位置することを特徴とする。  
本態様によれば、前記支持トレイにおいて前記ユニット体の着脱経路に差し掛かる部位は、前記収納状態において、装着状態にある前記ユニット体の背面側に位置するので、前記ユニット体の安易な取り外しをより確実に抑制できる。
【００１１】
本発明の第３の態様は、第２の態様において、前記支持トレイにおいて前記ユニット体の着脱経路に差し掛かる部位は、前記収納状態において、装着状態にある前記ユニット体の背面を覆い、前記装置本体とともに装置外観を構成することを特徴とする。
【００１２】
本態様によれば、前記支持トレイにおいて前記ユニット体の着脱経路に差し掛かる部位は、前記収納状態において、装着状態にある前記ユニット体の背面を覆い、前記装置本体とともに装置外観を構成する、即ち前記支持トレイが装置外観を構成する部材として機能することで、装置の低コスト化を図ることができる。
【００１３】
本発明の第４の態様は、第１から第３の態様のいずれかにおいて、前記ユニット体は、前記装置本体に対する装着のロックを解除する操作部を備え、前記支持トレイにおいて前記ユニット体の着脱経路に差し掛かる部位は、前記収納状態において、装着状態の前記ユニット体における前記操作部を覆うことを特徴とする。
【００１４】
本態様によれば、前記ユニット体は、前記装置本体に対する装着のロックを解除する操作部を備え、前記支持トレイにおいて前記ユニット体の着脱経路に差し掛かる部位は、前記収納状態において、装着状態の前記ユニット体における前記操作部を覆うので、前記支持トレイが収納状態にある場合には前記操作部の操作が行えず、これにより前記ユニット体の安易な取り外しをより確実に抑制できる。
【００１５】
本発明の第５の態様は、第１から第４の態様のいずれかにおいて、前記ユニット体が前記装置本体から取り外された状態において前記支持トレイの前記引き出し状態を保持する保持手段を備えることを特徴とする。
【００１６】
本態様によれば、前記ユニット体が前記装置本体から取り外された状態において前記支持トレイの前記引き出し状態を保持する保持手段を備えるので、前記ユニット体の装着に際し前記支持トレイが邪魔にならず、前記ユニット体を容易に装着することができる。
【００１７】
本発明の第６の態様は、第５の態様において、前記保持手段は、前記ユニット体と係合可能であるとともに、前記支持トレイの前記引き出し状態から前記収納状態への遷移経路に対して進出する方向に付勢されたストッパーを備え、前記ストッパーは、前記ユニット体が前記装置本体に装着された状態において前記ユニット体と係合して前記遷移経路から退避しており、前記ユニット体が前記装置本体から取り外されると、前記遷移経路に進出することを特徴とする。  
本態様によれば、前記保持手段を前記ストッパーで構成することで、前記保持手段を構造簡単にして低コストに構成できる。
【００１８】
本発明の第７の態様は、第５のまたは第６の態様において、前記支持トレイは、前記引き出し状態において、媒体を支持する際の姿勢である傾斜姿勢と、前記収納状態への遷移を行う姿勢である立位姿勢とを切り換え可能であるとともに、前記傾斜姿勢では、前記保持手段の状態に拘わらず前記引き出し状態を維持可能であることを特徴とする。
【００１９】
本態様によれば、前記支持トレイは、前記傾斜姿勢、即ち媒体を支持する姿勢では、前記保持手段の状態に拘わらず前記引き出し状態を維持可能であるので、前記保持手段の状態に拘わらず媒体を常に適切に支持することができる。
【図面の簡単な説明】
【００２０】
【図１】本発明に係るプリンターにおいて支持トレイを装置本体に収納した状態の斜視図。
【図２】本発明に係るプリンターにおいて支持トレイを装置本体から引き出した状態の斜視図。
【図３】本発明に係るプリンターにおける媒体搬送経路を示す側断面図。
【図４】支持トレイを装置本体に収納した状態を装置本体背面側から見た斜視図。
【図５】支持トレイを装置本体から引き出した状態を装置本体背面側から見た斜視図。
【図６】支持トレイを装置本体から引き出して媒体を支持可能な状態における装置本体を、背面側から見た斜視図。
【図７】装置本体背面側における支持トレイの第２ガイドを示す斜視図。
【図８】装置本体背面側において支持トレイと係合し、支持トレイを傾斜状態に支持する係合部を示す斜視図。
【図９】支持トレイの側部を示す斜視図。
【図１０】支持トレイにおいて装置本体の係合部と係合可能なボスを示す斜視図。
【図１１】支持トレイが収納状態にある場合における装置本体の第１ガイドとボスとの関係を示す斜視図。
【図１２】支持トレイが装置本体から引き出された状態における係合部とボスとの関係を示す斜視図。
【図１３】支持トレイが装置本体から引き出されて媒体を支持可能な状態における係合部とボスとの関係を示す斜視図。
【図１４】ユニット体によりストッパーが装置本体内に押し込まれた状態を示す斜視図。
【図１５】装置本体からユニット体を取り外した状態を示す斜視図。
【図１６】ストッパーが第１ガイド内に進出した状態を示す斜視図。
【図１７】ストッパーが第１ガイド内に進出した状態を示す背面図。
【発明を実施するための形態】
【００２１】
以下、本発明の実施の形態を図面に基づいて説明する。尚、各実施例において同一の構成については、同一の符号を付し、最初の実施例においてのみ説明し、以後の実施例においてはその構成の説明を省略する。
【００２２】
図１は本発明に係るプリンターにおいて支持トレイを装置本体に収納した状態の斜視図であり、図２は本発明に係るプリンターにおいて支持トレイを装置本体から引き出した状態の斜視図であり、図３は本発明に係るプリンターにおける媒体搬送経路を示す側断面図であり、図４は支持トレイを装置本体に収納した状態を装置本体背面側から見た斜視図であり、図５は支持トレイを装置本体から引き出した状態を装置本体背面側から見た斜視図であり、図６は支持トレイを装置本体から引き出して媒体を支持可能な状態における装置本体を、背面側から見た斜視図である。
【００２３】
図７は装置本体背面側における支持トレイの第２ガイドを示す斜視図であり、図８は装置本体背面側において支持トレイと係合し、支持トレイを傾斜状態に支持する係合部を示す斜視図であり、図９は支持トレイの側部を示す斜視図であり、図１０は支持トレイにおいて装置本体の係合部と係合可能なボスを示す斜視図であり、図１１は支持トレイが収納状態にある場合における装置本体の第１ガイドとボスとの関係を示す斜視図であり、図１２は支持トレイが装置本体から引き出された状態における係合部とボスとの関係を示す斜視図である。
【００２４】
図１３は支持トレイが装置本体から引き出されて媒体を支持可能な状態における係合部とボスとの関係を示す斜視図であり、図１４はユニット体によりストッパーが装置本体内に押し込まれた状態を示す斜視図であり、図１５は装置本体からユニット体を取り外した状態を示す斜視図であり、図１６はストッパーが第１ガイド内に進出した状態を示す斜視図であり、図１７はストッパーが第１ガイド内に進出した状態を示す背面図である。
【００２５】
また、各図において示すＸ−Ｙ−Ｚ座標系はＸ方向がキャリッジの主走査方向（移動方向）、すなわち記録装置の幅方向、Ｙ方向が媒体搬送方向、すなわち記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２６】
＜＜＜プリンターの概要＞＞＞
図１ないし図３を参照して、本発明に係る「記録装置」の一例としてのプリンター１０の概要について説明する。プリンター１０は、装置本体１２を備えている。装置本体１２の装置奥行き方向前面側には、排出口１４が開口されている。また、装置本体１２の装置奥行き方向背面側には、支持トレイ１６が設けられている。
【００２７】
支持トレイ１６は、装置本体１２に対して収納された収納状態（図１参照）と、装置本体から引き出されて媒体を支持可能な引き出し状態（図２参照）とを切換え可能に構成されている。尚、支持トレイ１６における収納状態と引き出し状態との切換えについては、後ほど詳しく説明する。
【００２８】
図３を参照して、プリンター１０における媒体搬送経路１８について説明する。尚、図３において符号Ｐが付された太い実線は、プリンター１０において搬送される媒体の搬送経路を示している。図３において、支持トレイ１６は、装置本体１２の装置奥行き方向において背面側に傾斜して、媒体を支持可能な姿勢を取っている。
【００２９】
支持トレイ１６が、装置本体１２に対して引き出し状態を取ると、装置本体１２の装置奥行き方向においてセット口２０が開放された状態となる。そして、支持トレイ１６に媒体をセットすると、セット口２０を介して媒体を装置本体１２に差し入れることができる。
【００３０】
媒体搬送経路１８において支持トレイ１６の下流側には、媒体の搬送方向に沿って、給送ローラー２２、搬送ローラー対２４、記録部２６、排出ローラー対２８が設けられている。記録部２６は、キャリッジ３０と、「記録手段」としての記録ヘッド３２と、媒体案内部材３４とを備えている。
【００３１】
キャリッジ３０は、装置幅方向に往復動可能に構成されている。また、記録ヘッド３２は、キャリッジ３０の下部に設けられており、インクを装置高さ方向下方に向けて吐出可能に構成されている。
【００３２】
また、キャリッジ３０の装置高さ方向下方側には装置幅方向に延びる媒体案内部材３４が設けられている。そして、装置幅方向におけるキャリッジ３０の移動領域の少なくとも一部において記録ヘッド３２と対向可能に配置されている。
【００３３】
支持トレイ１６にセットされた媒体は、給送ローラー２２、搬送ローラー対２４を介して記録部２６の記録ヘッド３２と対向する領域に送られる。記録ヘッド３２と対向する領域に送られた媒体は、媒体案内部材３４により裏面を支持される。そして、記録ヘッド３２と対向する媒体の記録面（表面）に記録ヘッド３２のノズル穴からインクが吐出されて記録が行われる。記録が実行されると、媒体は排出ローラー対２８により排出口１４に送られ、プリンター１０の装置奥行き方向前方側に排出される。
【００３４】
また、装置本体１２内において搬送ローラー対２４に対して装置奥行き方向背面側には、反転ローラー３６と、反転ローラー３６の周囲に配置された従動ローラー３８ａ、３８ｂ、３８ｃとが設けられている。反転ローラー３６及び従動ローラー３８ａ、３８ｂ、３８ｃは、装置本体１２に対して着脱可能なユニット体４０に設けられている。尚、ユニット体４０については後述する。
【００３５】
記録部２６において、媒体の表面に記録が実行された後、搬送ローラー対２４及び排出ローラー対２８を逆転させると、媒体は、装置奥行き方向において搬送ローラー対２４の背面側に位置する反転ローラー３６に向けて送られる。そして、媒体は、反転ローラー３６及び従動ローラー３８ａ、３８ｂ、３８ｃに順次ニップされて、再度記録部２６に向けて送られる。この際、媒体は反転ローラー３６により、表面と裏面とを反転させられる。そして、記録部２６において媒体の裏面の記録が実行され、排出ローラー対２８により排出口１４を介してプリンター１０の装置奥行き方向前方側に排出される。
【００３６】
■■■実施例■■■■
以下、図４ないし図１７を参照して支持トレイ１６の構成及び姿勢切換について説明する。尚、支持トレイ１６は、図４に示すように、装置本体１２の背面側において、装置本体１２に収納された状態と、装置本体１２に収納された状態から装置高さ方向上方側にスライドして引き出された状態とを切換可能に構成されている。そして、図５及び図６に示すように、支持トレイ１６は、装置本体１２から引き出された引き出し状態において、装置本体１２に対して立位した立位姿勢と、装置本体１２に対して傾斜し、媒体が支持可能な傾斜姿勢とを切換可能である。
【００３７】
図７、図８を参照するに装置本体１２の背面側端部には、装置高さ方向に延びる第１ガイド４２が設けられている。第１ガイド４２において装置高さ方向上端側は装置奥行き方向前方側に向きを変えて延びている。また、第１ガイド４２の上端部４２ａには、突起４４が形成されている。さらに、上端部４２ａには、装置奥行き方向に延びる係合面４２ｃが設けられている。
【００３８】
また、装置高さ方向において第１ガイド４２の上端部４２ａの上方には、係合部４６が設けられている。係合部４６には、装置高さ方向上方側に延びるとともに装置奥行き方向背面側に傾斜して延びる係合面４６ａが設けられている。尚、第１ガイド４２は、支持トレイ１６の収納状態と引き出し状態とを切換える遷移経路として機能する。
【００３９】
尚、図７、図８において装置本体１２の背面側端部において装置幅方向左側の第１ガイド４２及び係合部４６を例として説明したが、装置本体１２の背面側端部において装置幅方向右側にも同様の構成が設けられている。
【００４０】
＜＜＜支持トレイについて＞＞＞
図９及び図１０を参照して、支持トレイ１６の構成について説明する。尚、図９及び図１０において、支持トレイ１６の姿勢は、装置本体１２に収納された状態での姿勢を前提として説明する。支持トレイ１６は平板状の部材として構成され、「ユニット体４０の着脱経路に差し掛かる部位」としての媒体を支持する媒体支持部１６ａと、側部１６ｂと、裏面１６ｃ（図４〜図６）とを備えている。裏面１６ｃは、図４に示すように支持トレイ１６が装置本体１２に収納されている状態において、装置本体１２とともに装置外観の一部を構成する。
【００４１】
支持トレイ１６の側部１６ｂには、図９における装置高さ方向に延びる第２ガイド４８が設けられている。第２ガイド４８は、側部１６ｂにおいて凹部として形成されている。また、装置高さ方向において第２ガイド４８の下方には、側部１６ｂから装置幅方向に突出するボス５０が設けられている。尚、図９において支持トレイ１６の装置幅方向左側の側部１６ｂに設けられた第２ガイド４８及びボス５０を例として説明したが、装置幅方向右側の側部１６ｂにも同様の構成が設けられている。
【００４２】
ここで、支持トレイ１６が装置本体１２に取り付けられている状態（図１１参照）では、支持トレイ１６のボス５０は、第１ガイド４２に対して相対移動可能に第１ガイド４２内に嵌入されている。一方、装置本体１２側の係合部４６は、支持トレイ１６の側部１６ｂに設けられた第２ガイド４８に対して相対移動可能に第２ガイド内に嵌入されている。図１１に示すように、支持トレイ１６が装置本体１２に収納された状態において、ボス５０は、第１ガイド４２の下端部４２ｂに位置している。一方、装置本体１２の係合部４６は、第２ガイド４８の上端部４８ａに位置している。尚、図１１ないし図１３において支持トレイ１６の図示は省略しており、第２ガイド４８及びボス５０のみ二点鎖線で図示している。
【００４３】
支持トレイ１６を装置本体１２に収納した状態（図４参照）から、装置高さ方向上方に引き上げて立位姿勢（図５参照）を取ると、ボス５０は第１ガイド４２内において下端部４２ｂから上端部４２ａに移動する。一方、係合部４６は、第２ガイド４８の上端部４８ａから下端部４８ｂに移動する（図１２参照）。
【００４４】
支持トレイ１６を、装置本体１２に対する立位姿勢（図５参照）から装置奥行き方向背面側に回動させると、支持トレイ１６は図１３に示すようにボス５０を回動支点として回動する。この際、ボス５０は、第１ガイド４２の上端部４２ａにおいて突起４４に乗り上げて回動する。そして、ボス５０は、上端部４２ａの係合面４２ｃと係合する。これにより、支持トレイ１６の装置奥行き方向背面側への更なる回動が規制される。また、ボス５０は、突起４４に乗り上げることにより、支持トレイ１６を傾斜姿勢にロックする。支持トレイ１６を傾斜姿勢から装置奥行き方向前方側に回動させることによりボス５０に対する突起４４のロック状態が解消される。
【００４５】
また、支持トレイ１６が装置奥行き方向背面側に回動すると、支持トレイ１６の第２ガイド４８は装置本体１２の係合部４６に対して回動する。そして、ボス５０が係合面４２ｃと係合すると、第２ガイド４８の装置奥行き方向前面側の側部４８ｃは係合部４６の係合面４６ａと当接する。そして、係合部４６は、傾斜した支持トレイ１６を支持する。これにより、支持トレイ１６は立位姿勢（図５参照）から傾斜姿勢（図６参照）へと切り換わる。
【００４６】
＜＜＜ユニット体と保持手段との関係について＞＞＞
次いで、図１４ないし図１７を参照してユニット体４０と保持手段５２との関係について説明する。ユニット体４０は、図１５に示すように、反転ローラー３６及び従動ローラー３８ａ、３８ｂ、３８ｃをユニット体４０の前方側に備え、ユニット体４０の背面側には背面側端部４０ａを備えている。そして、ユニット体４０は、装置本体１２の背面側から装置本体１２に着脱が可能に構成されている。
【００４７】
ユニット体４０の背面側端部４０ａには、一対の操作部５４が設けられている。そして、装置本体１２あるいはユニット体４０には、装置本体１２に対してユニット体４０の装着状態を維持する不図示のロック手段が設けられている。装置本体１２にユニット体４０が装着された状態において一対の操作部５４を相寄る方向、すなわち装置幅方向における中心方向に向けて押圧すると、不図示のロック手段によるロックが解除され、装置本体１２に対するユニット体４０のロック状態が解除される。これにより、装置本体１２からユニット体４０の取り外しが可能となる。
【００４８】
図４に示すように、支持トレイ１６が装置本体１２に対して収納状態にある場合、ユニット体４０は装置本体１２に取り付けられており、背面側端部４０ａが支持トレイ１６により覆われている。つまり、この状態では、支持トレイ１６は、ユニット体４０の背面側端部４０ａに対して装置奥行き方向背面側に位置し、ユニット体４０の着脱経路に差し掛かっている。そして、背面側端部４０ａに設けられた操作部５４も支持トレイ１６により覆われているので、操作部５４に対する操作が規制される。
【００４９】
そして、図５及び図１５に示すように、支持トレイ１６を装置本体１２に対して装置高さ方向に引き上げると、ユニット体４０の背面側端部４０ａが露出する。これにより、操作部５４への操作が可能となる。
【００５０】
そして、操作部５４を操作してユニット体４０の装置本体１２に対するロック状態を解除する。そして、この状態では、装置奥行き方向においてユニット体４０の背面側から支持トレイ１６は装置高さ方向上方側に退避しているので、ユニット体４０を装置本体１２から装置奥行き方向背面側に引き出すことができる。
【００５１】
次いで、図７及び図１４を参照して保持手段５２について説明する。保持手段５２は、ストッパー５６と、不図示の付勢手段とを備えている。また、装置本体１２には、装置奥行き方向に沿って延び、第１ガイド４２と交差する溝５８が設けられている。溝５８は、装置高さ方向において、第１ガイド４２の上端部４２ａの下方側に設けられている。そして、ストッパー５６は、第１ガイド４２と交差する溝５８に沿って装置奥行き方向に進退可能に構成されている。そして、不図示の付勢手段は、ストッパー５６を装置奥行き方向背面側、すなわちストッパー５６が支持トレイ１６の遷移経路である第１ガイド４２に突出する方向に付勢している。
【００５２】
ユニット体４０が装置本体１２に取り付けられた状態では、ストッパー５６はユニット体４０の背面側端部４０ａと当接している。そして、ストッパー５６は、付勢手段（不図示）の付勢力に抗して、背面側端部４０ａによって装置奥行き方向前面側に押圧され、装置本体１２内に押し込まれた状態となっている。
【００５３】
この状態では、ストッパー５６は、装置奥行き方向においてユニット体４０により第１ガイド４２から退避した位置まで押し込まれているので、ストッパー５６が第１ガイド４２内において支持トレイ１６のボス５０が相対移動することを妨げない。すなわち、支持トレイ１６は、装置本体１２においてユニット体４０の背面側で装置高さ方向に変位可能である。
【００５４】
図１５ないし図１７に示すように、装置本体１２からユニット体４０を取り外すと、ストッパー５６は付勢手段（不図示）の付勢力により、装置奥行き方向背面側に移動し、第１ガイド４２内に進出する。そして、ストッパー５６は第１ガイド４２内におけるボス５０の移動を規制する。
【００５５】
また、図１７に示すように、ストッパー５６は第１ガイド４２に進出した状態（図１６参照）において、支持トレイ１６の少なくとも一部と装置幅方向においてオーバーラップしている。支持トレイ１６が傾斜姿勢（図１５参照）から装置奥行き方向前面側に回動して立位姿勢（図５参照）に切り換わった際、支持トレイ１６が第１ガイド４２に沿って装置高さ方向下方側に変位しようとすると、ストッパー５６が支持トレイ１６と接触して、支持トレイ１６の装置高さ方向下方側への変位を規制するとともに支持トレイ１６を支持する。これにより、装置本体１２からユニット体４０を取り外した状態において支持トレイ１６が引き出された状態から装置本体１２に収納された状態へと切り換わることを防止できる。
【００５６】
そして、ユニット体４０を装置本体１２に取り付けることにより、ストッパー５６が第１ガイド４２から退避するので、支持トレイ１６を装置本体１２から引き出された状態から装置本体１２に収納した状態に切換えることができる。
【００５７】
上記説明をまとめると、支持トレイ１６を傾斜姿勢とし、支持トレイ１６に媒体を支持した状態において、装置本体１２からユニット体４０を取り外しても、支持トレイ１６は装置本体１２から引き出された状態を維持するので、支持トレイ１６にセットされた媒体をセットしたままにできる。また、支持トレイ１６の未使用状態、つまり装置本体１２に収納された状態では、支持トレイ１６の媒体支持部１６ａが、装置奥行き方向においてユニット体４０の背面側端部４０ａの背面方向に位置し、ユニット体４０の操作部５４を覆うので、ユニット体４０が不用意に取り外されることを防止できる。
【００５８】
そして、ユニット体４０が装置本体１２から取り外されることによる装置本体１２内部へのアクセスを規制でき、装置本体１２内部の部品の破損を抑制できる。また、装置本体１２から取り外されたユニット体４０の落下等による破損を抑制できる。
【００５９】
また、装置本体１２からユニット体４０が取り外された状態では、保持手段５２のストッパー５６が支持トレイ１６を支持するので、支持トレイ１６が装置本体１２に収納された状態となることを防止できる。これにより、ユニット体４０が取り外された状態で、支持トレイ１６が引き出された状態から収納状態に移動し、ユニット体４０を装置本体１２に取り付ける際に、再度支持トレイ１６を引き出す手間や支持トレイ１６に媒体をセットする手間を省くことができる。
【００６０】
また、本実施例では、支持トレイ１６を装置本体１２側に設ける構成としたので、装置本体１２に対して挿抜するユニット体４０のサイズの大型化を抑制でき、ユニット体４０における装置本体１２への着脱操作におけるユーザーの負担を低減できる。
【００６１】
＜＜＜実施例の変更例＞＞＞
本実施例において、保持手段５２はストッパー５６を装置奥行き方向に延びる溝５８に沿って第１ガイド４２に対して進退させることにより支持トレイ１６を支持する構成としたが、この構成に代えて、ユニット体４０を装置本体１２から取り外した際、第１ガイド４２内において装置幅方向に凸部（ピン等）が突出して支持トレイ１６を支持し、ユニット体４０を装置本体１２に取り付けた場合、第１ガイド４２内から凸部が退避する構成としてもよい。
【００６２】
また、本実施形態では、支持トレイ１６のほぼ全域が、ユニット体４０の着脱経路に差し掛かる構成であるが、支持トレイ１６の一部分がユニット体４０の着脱経路に差し掛かる構成であっても良い。
【００６３】
上記説明をまとめると、プリンター１０は、媒体に記録を行う記録ヘッド３２を内部に備えた装置本体１２と、装置本体１２から引き出された引き出し状態と装置本体１２に収納される収納状態とを切り換え可能であり、引き出し状態において記録ヘッド３２に向けて給送される媒体を支持可能な支持トレイ１６と、媒体を反転させる反転ローラー３６を備えるとともに装置本体１２に対して着脱可能に構成されたユニット体４０と、を備え、支持トレイ１６は、収納状態において、ユニット体４０の着脱経路に差し掛かる部位である媒体支持部１６ａを有する。
【００６４】
上記構成によれば、支持トレイ１６は、収納状態において、ユニット体４０の着脱経路に差し掛かる部位である媒体支持部１６ａを有するので、支持トレイ１６が収納状態にある際、即ち装置の非使用状態において支持トレイ１６がユニット体４０の取り外しを阻害することとなる。これにより、安易なユニット体４０の取り外しを抑制することができる。また、支持トレイ１６がユニット体４０の安易な取り外しを抑制する構成であるので、ユニット体４０の不用意な取り外しを抑制する専用の手段を設ける構成に比してコストアップを抑制することができる。
【００６５】
支持トレイ１６においてユニット体４０の着脱経路に差し掛かる部位である媒体支持部１６ａは、収納状態において、装着状態にあるユニット体４０の背面側に位置する。この構成によれば、ユニット体４０の安易な取り外しをより確実に抑制できる。
【００６６】
支持トレイ１６においてユニット体４０の着脱経路に差し掛かる部位である媒体支持部１６ａ（裏面１６ｃ）は、収納状態において、装着状態にあるユニット体４０の背面を覆い、装置本体１２とともに装置外観を構成する。この構成によれば、支持トレイ１６が装置外観を構成する部材として機能することで、装置の低コスト化を図ることができる。
【００６７】
ユニット体４０は、装置本体１２に対する装着のロックを解除する操作部５４を備え、支持トレイ１６においてユニット体４０の着脱経路に差し掛かる部位である媒体支持部１６ａは、収納状態において、装着状態のユニット体４０における操作部５４を覆う。この構成によれば、支持トレイ１６が収納状態にある場合には操作部５４の操作が行えず、これによりユニット体４０の安易な取り外しをより確実に抑制できる。
【００６８】
ユニット体４０が装置本体１２から取り外された状態において支持トレイ１６の引き出し状態を保持する保持手段５２を備える。この構成によれば、ユニット体４０の装着に際し支持トレイ１６が邪魔にならず、ユニット体４０を容易に装着することができる。
【００６９】
保持手段５２は、ユニット体４０と係合可能であるとともに、支持トレイ１６の引き出し状態から収納状態への遷移経路である第１ガイド４２に対して進出する方向に付勢されたストッパー５６を備え、ストッパー５６は、ユニット体４０が装置本体１２に装着された状態においてユニット体４０と係合して遷移経路である第１ガイド４２から退避しており、ユニット体４０が装置本体１２から取り外されると、遷移経路である第１ガイド４２に進出する。この構成によれば、保持手段５２をストッパー５６で構成することで、保持手段５２を構造簡単にして低コストに構成できる。
【００７０】
支持トレイ１６は、引き出し状態において、媒体を支持する際の姿勢である傾斜姿勢と、収納状態への遷移を行う姿勢である立位姿勢とを切り換え可能であるとともに、傾斜姿勢では、保持手段５２の状態に拘わらず引き出し状態を維持可能である。この構成によれば、保持手段５２の状態に拘わらず媒体を常に適切に支持することができる。
【００７１】
また、本実施形態では本発明に係る支持トレイ１６及び保持手段５２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７２】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７４】
１０…プリンター、１２…装置本体、１４…排出口、１６…支持トレイ、１６ａ…媒体支持部、１６ｂ…側部、１６ｃ…裏面、１８…媒体搬送経路、２０…セット口、２２…給送ローラー、２４…搬送ローラー対、２６…記録部、２８…排出ローラー対、３０…キャリッジ、３２…記録ヘッド、３４…媒体案内部材、３６…反転ローラー、３８ａ、３８ｂ、３８ｃ…従動ローラー、４０…ユニット体、４０ａ…背面側端部、４２…第１ガイド、４２ａ、４８ａ…上端部、４２ｂ、４８ｂ…下端部、４２ｃ…係合面、４４…突起、４６…係合部、４６ａ…係合面、４８…第２ガイド、４８ｃ…側部、５０…ボス、５２…保持手段、５４…操作部、５６…ストッパー、５８…溝
【図１】
0006772555.tif 000002
【図２】
0006772555.tif 000003
【図３】
0006772555.tif 000004
【図４】
0006772555.tif 000005
【図５】
0006772555.tif 000006
【図６】
0006772555.tif 000007
【図７】
0006772555.tif 000008
【図８】
0006772555.tif 000009
【図９】
0006772555.tif 000010
【図１０】
0006772555.tif 000011
【図１１】
0006772555.tif 000012
【図１２】
0006772555.tif 000013
【図１３】
0006772555.tif 000014
【図１４】
0006772555.tif 000015
【図１５】
0006772555.tif 000016
【図１６】
0006772555.tif 000017
【図１７】
0006772555.tif 000018